(57)【要約】【課題】  様々な出題形式に対応することができる一方、設問解答時は、通常の問題集と大差なく使用可能であり、しかも、解答添削時は、ページをめくったり、別紙を取り出すことなく即座に解答を見ることができる解答付き問題用紙および問題集を提供する。【解決手段】  通常の問題用紙のように一般的なインクで設問２が記載されている一方で、当該設問２に対する解答３が設問と同一紙面１内に可視光において無色の蛍光インクで記載されている。設問解答時においては、通常の問題用紙と同様に取り扱って問題に解答する。そして、解答添削時において、ＵＶライト４を問題用紙の紙面１に照射することにより、図２に示すように、ＵＶライト４の照射範囲Ｘ内の解答３が発光し、無色蛍光インクで記載された解答が視認可能となり、添削を行うことができる。【選択図】          図２
2005088416.tif 000002
【特許請求の範囲】
【請求項１】
同一面内に設問と当該設問に対する解答が記載される解答付き問題用紙であって、前記解答は、可視光において無色の蛍光インクによって記載され、当該無色の蛍光インクが発光するための所定の励起エネルギー分の光エネルギーを有する光を照射することにより前記解答が視認可能に構成されることを特徴とする解答付き問題用紙。
【請求項２】
請求項１記載の解答付き問題用紙が複数枚あり、冊子を形成することを特徴とする解答付き問題集。
【請求項３】
前記光を照射可能な解答確認用のライトを備えた請求項２記載の解答付き問題集。
【発明の詳細な説明】
【技術分野】
【０００１】
本発明は、同一面内に設問部と当該設問に対する解答が記載される解答付き問題用紙および問題集に関する。
【背景技術】
【０００２】
学習の理解を深める各科目ごとの問題集や計算ドリル、手軽に楽しめるパズル、迷路本等が多く出版されている。このような問題用紙および問題集においては、解答が別紙または裏面に記載されることが多く、解答を確認するのにいちいち見開いているページを変えたり、別の冊子を持ち出したりする必要があるため、煩雑であり、学習・パズル等に集中できなかったり、学習効率の低下を招く場合があった。
【０００３】
上記のような問題を解決するために、下記特許文献１記載のように、解答が微小な文字で記載され、拡大鏡を使用することにより解答が判読可能な解答付き問題用紙や、解答が予め赤や緑のインクで記載され、赤や緑の色付きセロハンシートを使用すると解答が見えなくなる解答付き問題集が公知である。
【特許文献１】特開２００２−１４４７７０号公報
【発明の開示】
【発明が解決しようとする課題】
【０００４】
しかし、このような従来の解答付き問題集においては、以下のような問題があった。すなわち、特許文献１のように、解答を文字の大きさを小さく記載することは、設問および解答の形式や文字形によっては、その輪郭等から解答が想像つく場合もあり、設問解答時に完全に視認不可能とすることができないという問題があった。特に、○×問題のような二者択一問題等の判読し易い設問形式は作成困難であり、特許文献１のような方法では、設問形式を自由に設定・選択することが困難な場合も生じ得る。
【０００５】
一方、色付きセロハンシートを用いる解答付き問題集においては、設問解答時に、色付きセロハンシートを紙面上に敷く必要がある。すなわち、色付きセロハンシートを通して設問を見なければならないので、設問解答時に設問が見難いという問題がある。また、特に、計算練習等の問題集を使用する場合においては、設問解答時に片方の手に鉛筆を持つため、他方の手で該当ページを開きつつ色付きセロハンシートも押さえる必要があり、非常に使い辛い場合も生じ得る。また、複数ページに渡る問題の設問解答時には、ページごとに色付きセロハンシートを敷き直す必要が生じ、この際に、誤って解答を見てしまう場合も生じ得る。
【０００６】
本発明は、かかる従来技術の問題点を解決するべくなされたもので、様々な出題形式に対応することができる一方、設問解答時は、通常の問題集と大差なく使用可能であり、しかも、解答添削時は、ページをめくったり、別紙を取り出すことなく即座に解答を見ることができる解答付き問題用紙および問題集を提供することを目的とする。
【課題を解決するための手段】
【０００７】
本発明に係る解答付き問題用紙は、同一面内に設問と当該設問に対する解答が記載される解答付き問題用紙であって、前記解答は、可視光において無色の蛍光インクによって記載され、当該無色の蛍光インクが発光するための所定の励起エネルギー分の光エネルギーを有する光を照射することにより前記解答が視認可能に構成されるものである。
【０００８】
上記構成の解答付き問題用紙によれば、通常の問題用紙のように一般的なインクで設問が記載されている一方で、当該設問に対する解答が設問と同一面内に可視光において無色の蛍光インクで記載されている。設問解答時においては、通常の問題用紙と同様に取り扱って問題に解答する。そして、解答添削時において、無色の蛍光インクが発光するための所定の励起エネルギー分の光エネルギーを有する光を問題用紙の紙面に照射することにより、無色蛍光インクで記載された解答が視認可能となり、添削を行うことができる。
【０００９】
このように、可視光において無色の蛍光インクを用いることにより、様々な出題形式に対応可能であるとともに、設問解答時に他の器具を必要とすることなく、視認不可能な問題用紙を形成することができる。また、解答添削時は、ページをめくったり（裏返したり）、別紙を取り出すことなく、同一面上で所定の光を照射するだけで即座に解答を見ることができる。
【００１０】
また、本発明に係る解答付き問題集は、上記の解答付き問題用紙が複数枚あり、冊子を形成するものである。
【００１１】
多数ページを有する問題集においても、そのページごとに設問と可視光において無色の蛍光インクによって記載された当該設問に対する解答とを有している。したがって、設問解答時には、問題集のみを持って設問に対して解答することができる。そして、解答添削時には、同一面上で所定の光を照射するだけで即座に解答を見ることができる。
【００１２】
好ましくは、前記光を照射可能な解答確認用のライトを備えるように構成される。
【００１３】
この場合、上記問題集に所定の光エネルギーを有する光を照射可能な解答確認用のライトが備え付けられているので、携帯性がよく、どこでも解答を確認することができ、特に、電車内等机上以外の寸時の学習において学習効率をよくすることができたり、気軽にパズル等を楽しむことができる。
【発明の効果】
【００１４】
本発明に係る解答付き問題用紙および問題集によれば、可視光において無色の蛍光インクを用いることにより、様々な出題形式に対応可能であるとともに、設問解答時に他の器具を必要とすることなく、視認不可能な問題用紙を形成することができる。また、解答添削時は、ページをめくったり（裏返したり）、別紙を取り出すことなく、同一面上で所定の光を照射するだけで即座に解答を見ることができる。
【発明を実施するための最良の形態】
【００１５】
以下、添付図面を参照しつつ、本発明を実施するための最良の形態について説明する。図１は本発明の一実施形態に係る解答付き問題用紙を示す図であり、図２は図１の解答付き問題用紙の解答添削時の様子を示す図である。本実施形態は、学習の理解を深める計算問題等への適用例である。
【００１６】
本実施の形態に係る解答付き問題用紙は、図１および図２に示すように、同一面１内に設問２と当該設問２に対する解答３が記載される解答付き問題用紙であって、前記解答３は、可視光において無色の蛍光インク（以下、単に無色蛍光インクとも言う）によって記載され、当該無色蛍光インクが発光するための所定の励起エネルギー分の光エネルギーを有する光を照射することにより前記解答３が視認可能に構成されるものである。
【００１７】
図１の解答付き問題用紙によれば、通常の問題用紙のように一般的なインクで設問２が記載されている一方で、当該設問２に対する解答３が設問と同一紙面１内に可視光で無色の蛍光インクで記載されている。ここで、本実施形態における光源として図２に示すＵＶライト４を使用する。ＵＶライト４は、一般的にブラックライトとも称される。ＵＶライト４からの光束は、紫外線波長領域の光エネルギーを有し、多くの無色蛍光インクを発光させることができる。無色蛍光インクは、ＵＶライト４からの光束が有する紫外線波長領域（約３７０ｎｍ〜約４００ｎｍ）の光エネルギーを吸収し、自らを発光させる可視光において無色のインクである。
【００１８】
なお、紙面１は、無色蛍光インクが無色のまま定着し、ＵＶライト４を照射することで当該無色蛍光インクが視認可能となる機能を損わない材質であれば、ＯＨＰ用のフィルム等の樹脂からなるもの等も含まれる。
【００１９】
設問解答時においては、通常の問題用紙と同様に取り扱って問題に解答する。この場合、解答３は、無色であり、かつ、ＵＶライト４が照射されておらず、可視光下にあるため発光せず、図２のＵＶライト４の照射範囲Ｘ外にある解答３のように、視認不可能である（すなわち、図１の斜線部は、ＵＶライト４を照射しない限り見えていない）。
【００２０】
そして、解答添削時において、ＵＶライト４を問題用紙の紙面１に照射することにより、図２に示すように、ＵＶライト４の照射範囲Ｘ内の解答３が発光し、無色蛍光インクで記載された解答３が視認可能となり、添削を行うことができる。
【００２１】
このように、可視光において無色の蛍光インクを用いることにより、様々な出題形式に対応可能であるとともに、設問解答時に他の器具を必要とすることなく、視認不可能な問題用紙を形成することができる。また、解答添削時は、ページをめくったり（裏返したり）、別紙を取り出すことなく、同一紙面１上でバックライト４を照射するだけで即座に解答３を見ることができる。
【００２２】
図３は図１の問題用紙を冊子にした問題集を示す図である。図３に示すように、解答付き問題集は、図１の解答付き問題用紙が複数枚あり、冊子１０を形成するものである。
【００２３】
多数ページを有する問題集においても、そのページごとに設問２と無色蛍光インクによって記載された当該設問２に対する解答３とを有している。したがって、設問解答時には、問題集のみを持って設問２に対して解答することができる。そして、解答添削時には、同一紙面１上でバックライト４を照射するだけで即座に解答３を見ることができる。
【００２４】
さらに、本実施形態においては、前記問題集は、前記解答確認用のＵＶライト４を備えるように構成される。図３に示すように、冊子１０にＵＶライト４が紐５で結ばれて一体となっている。
【００２５】
この場合、上記問題集に解答確認用のＵＶライト４が備え付けられているので、携帯性がよく、どこでも解答を確認することができ、特に、電車内等机上以外の寸時の学習において学習効率をよくすることができる。また、紐５により、使用していないときは、しおりとしても使用可能である。
【００２６】
ここで、ＵＶライト４は、図３のようなペンライトタイプ等の小型のものが携帯性に優れ、持ち運びの多い問題集に付属させるには好都合である。特に、ＬＥＤ（発光ダイオード）を用いたＵＶライトは、一般的な放電管からなるＵＶライト４とは異なり、インバータが不要で抵抗器のみで作動可能なため、より小型化に資する。また、小型のＵＶライト４は、その照射範囲Ｘを狭くすることができるため、解答と添削とを順次行う場合には、他の解答３が誤って見えてしまうことを防止することができる。ただし、本発明は上記小型のＵＶライト４に限らず、家の中で勉強等を行う際に、無色蛍光インクで記載された解答３を広範囲に視認可能にするスタンドタイプのＵＶライトを用いる等、無色蛍光インクがその光エネルギーを吸収し、発光する限りにおいて種々のＵＶライトが適用可能である。
【００２７】
以上、本実施形態を計算練習のための計算ドリルへの適用例について説明したが、本発明は、これに限られるものではなく、漢字ドリル等、複数回練習することを目的とする問題集や、歴史や地理または資格試験等、記憶の定着を主な目的とする問題集等、様々に適用可能である。
【００２８】
また、学校、塾等で行われる定期試験、学力診断試験において、予め無色蛍光インクで解答が記載された問題用紙（問題用紙と解答を書き込む解答用紙とが分けられている場合には解答用紙でもよい）を用いることも可能である。この場合、学生等が解答するときには通常の問題用紙（解答用紙）と何ら変わりがないが、添削時には、ＵＶライト４を照射することにより、大勢が解答した問題用紙（解答用紙）の一枚一枚に予め記載されている解答３（正答）を見ることができることから、採点を容易に行うことができ、多くの枚数を素早く添削する必要のある採点官の労力を大幅に軽減することができる。
【００２９】
ここで、本発明の他実施形態について説明する。図４は本発明の他実施形態に係る解答付き問題用紙を示す図である。本実施形態は、手軽に楽しめるパズル本等への適用例である。
【００３０】
本実施形態においては、図４に示すように、紙面１に設問２としてほぼ同一の絵を２枚並べてその相違部分を見つける、いわゆる「まちがいさがし」パズルが示されている。図４の左側の絵には、解答３として、右側の絵との相違部分が無色蛍光インクの囲みにより示されている。
【００３１】
設問解答時（パズル思考時）は、これら解答３の囲み（図４の破線で示される囲み）は見えないため、通常通り、解答を考えることができる。そして、解答添削時には、ＵＶライト４を照射することにより、ＵＶライト４の照射範囲Ｘ内の解答３の囲み（図４の実線で示される囲み：ここでは、右側の絵と比べて花びらの枚数が少ないことを示す）が視認可能となり、解答を得ることができる。
【００３２】
このように、設問２の中に解答３を記載することも可能であり、この解答３を記載することに制限されることなく設問２を自由に作成することができ、様々なパズル、迷路、詰め碁・詰め将棋等に適用することができる。
【図面の簡単な説明】
【００３３】
【図１】本発明の一実施形態に係る解答付き問題用紙を示す図である。
【図２】図１の解答付き問題用紙の解答添削時の様子を示す図である。
【図３】図１の問題用紙を冊子にした問題集を示す図である。
【図４】本発明の他実施形態に係る解答付き問題用紙を示す図である。
【符号の説明】
【００３４】
１  紙面（問題用紙）
２  設問
３  解答
４  ＵＶライト
１０  冊子（問題集）
【図１】
2005088416.tif 000003
【図２】
2005088416.tif 000004
【図３】
2005088416.tif 000005
【図４】
2005088416.tif 000006